(57)【要約】【課題】表示面に穴を空けることなくコンパクトに撮像手段を設置することができる撮像装置を提供する。【解決手段】運転者Ｄによって視認可能な表示面１４ａを形成するハーフミラー１４が配置されており、そのハーフミラー１４を透過した光Ｌ２が入射するように顔画像撮像カメラ１８が設けられている。ハーフミラー１４は、一部の光Ｌ１を反射し、一部の光Ｌ２を透過させる特性を持っている。そのため、運転者Ｄ側からの光Ｌ２がハーフミラー１４を透過し、透過した光Ｌ２が入射するように顔画像撮像カメラ１８を設けた場合には、運転者Ｄの顔を撮像できる。これにより、表示面１４ａに穴を空けるといった加工を施すことなく、コンパクトに顔画像撮像カメラ１８を設置することが可能となる。【選択図】  図２
2009166683.tif 000002
【特許請求の範囲】
【請求項１】
運転者によって視認可能な表示面を形成し、前記運転者側からの光を反射させると共に透過させるハーフミラーと、
前記ハーフミラーを透過した光を入射し、前記運転者側の対象物を撮像する撮像手段と、
を備えることを特徴とする撮像装置。
【請求項２】
前記表示面に映像を投影させる投影手段を更に備える請求項１記載の撮像装置。
【請求項３】
前記撮像手段は、前記ハーフミラーの背面側に配置され、前記対象物として、前記運転者を撮像する請求項１または２記載の撮像装置。
【請求項４】
前記表示面は、車両状態に関する情報を表示する請求項１〜３のいずれか一項に記載の撮像装置。
【発明の詳細な説明】
【技術分野】
【０００１】
本発明は、撮像装置に関する。
【背景技術】
【０００２】
従来、運転者の顔画像を検出することによって運転者の覚醒度を検出する覚醒度検出装置が知られている。特許文献１に記載の覚醒度検出装置では、運転席の前方のインストルメントパネルの上部に設けられたＣＣＤカメラによって運転者の顔画像を検出し、顔画像を画像処理することによって運転者の覚醒度を検出している。
【特許文献１】特開２００３−２５８６６号公報
【発明の開示】
【発明が解決しようとする課題】
【０００３】
一般的に、顔画像を検出するＣＣＤカメラといった撮像手段は、上記特許文献１に記載されているように、運転席前方のインストルメントパネル部近傍に設けられる。このように設置されるカメラは、メータ類の表示の邪魔にならないように、コンパクトに設置することが求められている。そこで、メータ類を表示するインストルメントパネル部の内部にカメラを設置することで、コンパクト化を図ることが１つの方法として考えられる。しかしながら、インストルメントパネル部の内部にカメラを設置する場合には、メータ類の表示面に穴を空けなければならず、液晶画面といったメータ類の表示面に穴を開けることは困難である。また、表示面に穴を空けることは、意匠の面からもマイナスの要因となる。
【０００４】
本発明は、このような問題を解決するために成されたものであり、表示面に穴を空けることなくコンパクトに撮像手段を設置することができる撮像装置を提供する。
【課題を解決するための手段】
【０００５】
本発明による顔画像撮像装置は、運転者によって視認可能な表示面を形成し、運転者側からの光を反射させると共に透過させるハーフミラーと、ハーフミラーを透過した光を入射し、運転者側の対象物を撮像する撮像手段と、を備えることを特徴とする。
【０００６】
このような撮像装置においては、運転者によって視認可能な表示面を形成するハーフミラーが配置されており、そのハーフミラーを透過した光が入射するように撮像手段が設けられている。ハーフミラーは、一部の光を反射し、一部の光を透過させる特性を持っている。そのため、運転者側からの光がハーフミラーを透過し、透過した光が入射するように撮像手段を設けた場合には、撮像手段が運転者側の対象物を撮像することができる。これにより、表示面に穴を空けるといった加工を施すことなく、コンパクトに撮像手段を設置することが可能となる。
【０００７】
また、表示面に映像を投影させる投影手段を更に備えることが好ましい。これにより、運転者側からの光を反射させるハーフミラーの表示面に、投影手段によって映像を表示させることができる。
【０００８】
また、撮像手段は、ハーフミラーの背面側に配置され、対象物として、運転者を撮像することが好ましい。これにより、撮像手段を運転者の視界に入らない場所に設けることができるので、コンパクト化を図ることができる。また、対象物として運転者を撮像することにより、運転者の状態に関する画像を撮像することができる。
【０００９】
また、表示面は、車両状態に関する情報を表示することが好ましい。これにより、運転者に対して車速・エンジン回転数等といった車両の状態に関する情報を表示することができる。
【発明の効果】
【００１０】
本発明によれば、表示面に穴を開けることなくコンパクトに撮像手段を設置することができる。
【発明を実施するための最良の形態】
【００１１】
以下、本発明による撮像装置の好適な実施形態について図面を参照しながら説明する。なお、図面の説明において同一または相当要素には同一の符号を付し、重複する説明は省略する。本実施形態では、本発明の撮像装置の車載表示装置への適用について説明する。図１は、本発明の実施形態に係る車載表示装置を有するインストルメントパネルの正面図、図２は、本発明の実施形態に係る車載表示装置の概略断面図である。
【００１２】
図１に示すように、本実施形態の車載表示装置１０は、運転室前面に配置されたインストルメントパネル１２に組み込まれ、現在の車両状態に関する各種情報を表示するコンビネーションメータとして機能するものである。
【００１３】
ここで、本実施形態の車載表示装置１０は、図２に示すように、ハーフミラーによって構成された表示パネル１４と、この表示パネル１４に各種情報を表示させる投影手段として機能する液晶パネル１６と、表示パネル１４の背面側に配置され運転者Ｄの顔画像を撮像する顔画像撮像カメラ（撮像手段）１８とを備えている。
【００１４】
表示パネル１４は、上述したようにハーフミラーによって構成され、運転者Ｄによって視認される表示面１４ａを有し、運転者Ｄ側からの光を反射させると共に透過させるものである。また、表示パネル１４は、上部１４ｂ側が下部１４ｃ側より背面側（車両前方側）へ傾斜して配置され、運転者Ｄによって視認可能な表示面１４ａを形成している。そして、表示パネル１４は、運転者Ｄ側からの一部の光Ｌ１を反射し、背面側に一部の光Ｌ２を透過させる。
【００１５】
また、表示パネル１４の背面側には、コンビネーションメータを構成する各種部品を収容する収容部２０が形成されている。この収容部２０には、各ＥＣＵ、センサ、スイッチ等と電気的に接続されたメータ用ＥＣＵ２２が配置されている。このメータ用ＥＣＵ２２では、各ＥＣＵ、センサ、スイッチ等の信号を受信して、現在の車両状態に関する各種情報を取得する。
【００１６】
液晶パネル１６は、表示パネル１４の表示面１４aに映像（メータ映像）を投影させるものである。液晶パネル１６は、表示パネル１４と所定の角度を成し、例えば、運転者側に張り出して表示パネル１４の上方を覆うメータバイザ上部２４の下面（底面）に設置されている。この液晶パネル１６は、メータ用ＥＣＵ２２と電気的に接続され、メータ用ＥＣＵ２２の指令に従い、現在の車両状態に関する各種情報を表示する。
【００１７】
また、液晶パネル１６に表示される「現在の車両状態に関する各種情報」としては、例えば、車速、走行距離、エンジン回転数、燃料の残量等が挙げられる。そして、液晶パネル１６に表示された映像は、表示パネル１４に投影され、運転者Ｄによって視認される。
【００１８】
顔画像撮像カメラ１８は、ハーフミラーによって構成された表示パネル１４の背面側の収容部２０に設置され、運転者Ｄの顔画像を取得するものである。顔画像撮像カメラ１８は、例えばＣＣＤカメラであり、表示パネル１４を透過した運転者Ｄ側からの光Ｌ２を入射し、運転者Ｄの顔を撮像する。顔画像撮像カメラ１８によって、撮像された顔画像は、例えば、運転者Ｄの脇見判定や、覚醒度判定等に利用される。
【００１９】
このような車載表示装置１０では、液晶パネル１６に表示された映像が、表示パネル１４の表示面１４ａに投影される。そして、表示面１４ａに投影された映像は、運転者Ｄに向かって反射され、運転者Ｄによって視認可能とされている。また、表示パネル１４がハーフミラーによって構成され、表示パネル１４を透過した光Ｌ２が入射するように、表示パネル１４の背面側に顔画像撮像カメラ１８が設けられている。ハーフミラーは、光の一部を反射すると共に光の一部を透過させるため、ハーフミラーの背面に配置された顔画像撮像カメラ１８によって、運転者Ｄの顔画像を取得することができる。ここで、表示パネル１４がハーフミラーによって構成されているため、表示パネル１４に穴加工を施すことなく、顔画像撮像カメラ１８を表示パネル１４の背面に配置することができ、製作の簡素化を図ると共に装置の省スペース化を図ることができる。
【００２０】
また、車載表示装置１０では、表示パネル１４にハーフミラーを用いているため、表示パネル１４に穴を開ける必要がなく、穴によってメータデザインを損なうおそれがない。
【００２１】
次に、本発明の実施形態に係る撮像手段を備えた車載表示装置の変形例について説明する。図３は、本発明の実施形態に係る撮像手段を備えた車載表示装置の変形例を示す概略断面図である。変形例の車載表示装置３０が、上記実施形態の車載表示装置１０と違う点は、表示パネル及び液晶パネルの配置が異なる点である。
【００２２】
車載表示装置３０の表示パネル１４は、上部１４ｂ側が下部１４ｃ側より運転者側（車両後方）へ傾斜して配置されている。車載表示装置３０の液晶パネル１６は、表示パネル１４の下部１４ｃから運転者Ｄ側へ張り出すメータバイザ下部２６の上面に設置され、表示パネル１４と所定の角度を成して配置されている。このような構成であっても、上記実施形態の車載表示装置１０と同じ作用、効果を奏する。
【００２３】
以上、本発明をその実施形態に基づき具体的に説明したが、本発明は、上記実施形態に限定されるものではない。上記実施形態では、本発明の撮像装置を備え、車両状態を表示する車載表示装置への適用について説明しているが、車載表示装置としては、例えば、ナビ画面等、その他の情報を表示する装置に、本発明の撮像装置を適用してもよい。
【００２４】
また、上記実施形態では、表示面１４ａに映像を投影させる投影手段を備える構成としているが、本発明の撮像装置は、投影手段を備えていない構成であってもよい。例えば、本発明の撮像装置を、後方を視認するためのバックミラー等に適用してもよい。
【００２５】
また、上記実施形態では、投影手段を液晶パネル１６としているが、投影手段は、液晶パネル１６に限定されず、その他の表示装置でもよい。要は、ハーフミラーの表示面に、映像（情報）を投影可能であればよい。
【００２６】
また、上記実施形態では、撮像手段として、運転者Ｄの顔画像を取得する顔画像撮像カメラ１８を備える構成としているが、撮像手段による撮像対象物は、運転者Ｄの体、その他の物体、風景等でもよい。例えば、撮像対象物をシートベルトとし、撮像されたシートベルトの状態に基づいて、運転者Ｄの状態等を検出してもよい。
【００２７】
また、上記実施形態では、本発明の撮像装置を、車両に搭載され、車両の運転者Ｄを撮像する撮像装置としているが、例えば、飛行機、船舶等その他の乗り物に搭載された表示装置に本発明の撮像装置を適用しても良く、プラントの計器室に設置された表示装置に本発明の撮像装置を適用しても良い。要は、運転者によって視認される表示面をハーフミラーによって形成し、ハーフミラーの背面に運転者側の対象物を撮像する撮像手段を備える構成とすればよい。
【図面の簡単な説明】
【００２８】
【図１】本発明の実施形態に係る車載表示装置を有するインストルメントパネルの正面図である。
【図２】本発明の実施形態に係る車載表示装置の概略断面図である。
【図３】本発明の実施形態に係る撮像手段を備えた車載表示装置の変形例を示す概略断面図である。
【符号の説明】
【００２９】
１０，３０…車載表示装置（撮像装置）、１４…表示パネル（ハーフミラー）、１４ａ…表示面、１６…液晶パネル（投影手段）、１８…顔画像撮像カメラ（撮像手段）、Ｄ…運転者、Ｌ１，Ｌ２…光。
【図１】
2009166683.tif 000003
【図２】
2009166683.tif 000004
【図３】
2009166683.tif 000005